(57)【要約】      （修正有）【課題】移動や収納の場合に、三脚を簡単に窄めてコンパクトに固定でき、使用する時は、簡単に且つ安定して開脚できる工業用三脚を提供する。【解決手段】基台と、夫々の受け部材２と、夫々の脚部材３とを備えた工業用三脚であって、夫々の受け部材２は、下方の開口面２ａと、両側の側面２ｂと、垂直面２ｃと、天板面２ｄと、傾斜面２ｅとから成り、夫々の脚部材３は、四角柱状の長さを有する基軸３ａと、床面に載置する載置部３ｂと、受け部材２に挿通させる頂面３ｃと両傾斜面３ｄを形成した台形状の頭部とから成り、受け部材２と脚部材３とを開位置及び閉位置で固定する固定手段５を設けた。【選択図】図３
0003168305.tif 000002
【実用新案登録請求の範囲】
【請求項１】
工業用扇風機や移動用大型照明器具の下方に垂設させた支持軸と、該支持軸を摺動自在に貫通させる中心貫通穴を上下方向に設けた基台と、該基台の外周の三方向に放射状に固定した夫々の受け部材と、該夫々の受け部材に接続した夫々の脚部材とを備えた工業用三脚であって、前記夫々の受け部材は、下方の開口面と、両側の側面と、垂直面と、天板面と、傾斜面と、から成り、前記夫々の脚部材は、四角柱状の長さを有する基軸と、床面に載置する載置部と、前記受け部材に挿通させる頂面と両傾斜面を形成した台形状の頭部と、から成り、前記受け部材の前記垂直面は前記開口面を下方にして前記基台の三方の外周に等間隔で夫々固定され、前記夫々の受け部材の両側の側面と前記脚部材の頭部とに夫々枢動用貫通孔を穿設し、前記受け部材と前記脚部材との前記夫々枢動用貫通孔に枢動用ボルトを挿通して枢動用ナットで前記脚部材を枢動可能に固定すると共に、前記受け部材と前記脚部材とを開位置及び閉位置で固定する固定手段を設け、前記脚部材が開位置では前記傾斜面の内面と前記基軸の先端辺の外側面とが当接すると共に前記垂直面の内面と前記頭部の両傾斜面の一方面とが当接し、前記脚部材が閉位置では前記傾斜面の内面と前記頭部の両傾斜面の他方面とが当接すると共に前記基軸の先端辺の内側面とが前記垂直面の内面と当接することを特徴とする工業用三脚。
【考案の詳細な説明】
【技術分野】
【０００１】
本考案は、工業用三脚に関するものであり、更に詳細には、工場や農業畜産現場で用いられる工業用の大型扇風機や、夜間の工事現場で用いられる大型照明器具等の支持台に用いる工業用三脚に関するものである。
【背景技術】
【０００２】
従来、この種の工業用三脚は一旦使用すると長時間使用されることと、使用する機器が重量を有することから頑丈に作られ、移動させることにはあまり配慮が払われていなかった。
【０００３】
例えば、先に開示されている工業用三脚としては、中心部に管体部２１を持ち、管体部２１の外周に三個の脚支え部２２を持ち、脚支え部２２の内部に平行の二つの連結片２４を持つ座台２と、上端部にボルト孔３１を持ち、ボルト孔３１の真下にピン孔３２を持つ三本の脚３とで構成される工業用扇風機の三脚台である。ボルト４が連結片２４のスロット２５と脚３のボルト孔３１とにはめられナット５とねじ合されることで脚３が座台２に組み合せられ、ピン３３が脚３のピン孔３２にさしこまれ、脚支え部２２の両内壁にその両端が止められて位置が制限され、且つその両端が連結片２４のすべり止め部２６にはめられることにより、三本の脚３が外にひろげられた位置になる。三本の脚３がおしこまれるとピン３３はすべり止め部２６からスロット２５の開き口に位置し、三本の脚３は折り畳まれるもの（特許文献１参照）や、３本の支持脚をそれぞれ上方，および下方支持脚４０，５０に分割すると共に、前記上方，下方支持脚を互いに折畳み用部材６０によって回動可能に連結し、各上方支持脚４０の上端部をそれぞれ支持脚用ケーシング３２備えた接続座３０に固定し、前記接続座の中央部に設けた中空円筒部材３１に扇風機本体８０の下方に垂下した軸部８１を手動の締付けボルト９０によって上下方向の移動可能に挿入したものであって、前記上方，下方支持脚を互いに折畳み用部材を介して折畳んだ状態で前記折畳み用部材の底部に装着する滑り止め用キャップ５２を前記扇風機本体の栓部材９２を有する軸部内に取出し自在に収納すると共に、前記接続座のそれぞれの支持脚用ケーシングの両内側には位置決め用案内部３４を形成したもの（特許文献２参照）や、 扇風機本体に設けた軸４０を接続座５０に着脱可能に連結し、接続座５０から下方に突出する三脚上方支持部６０の下端部に三脚下方支持部８０の上端部を連結する扇風機において、三脚上方支持部６０と三脚下方支持部８０とを大弾性体７１と小弾性体７５と上、下圧縮ばね７９とがある連結部材７０を備え、連結部材７０を２つ折りして、前記三脚上方、三脚下方支持部６０，８０内に組み込むと共に、これらの支持部６０，８０の変形や破壊を回避でき、外観も良好に持つことができるようにしたもの（特許文献３参照）等が開示されている。
【特許文献１】登録実用新案第３１１２０２５号公報
【特許文献２】登録実用新案第３０６３４９１号公報
【特許文献３】登録実用新案第３０７４２９１号公報
【考案の開示】
【考案が解決しようとする課題】
【０００４】
然し乍ら、前述の開示されている特許文献１では、ボルト４が連結片２４のスロット２５と脚３のボルト孔３１とにはめられナット５とねじ合されることで脚３が座台２に組み合せられ、ピン３３が連結片２４のすべり止め部２６にはめられることにより、三本の脚３が外にひろげられた位置に成るものであるが、ピン３３とすべり止め部２６との係合が自重によって支えられているもので不安定であり、特許文献２では、３本の支持脚を上方および下方支持脚４０，５０に分割すると共に、上方，下方支持脚を互いに折畳み用部材６０によって回動可能に連結してコンパクトにするものであり、加えて、図６に折り畳み状態のスタンドが図示されているもののその構造は開示されておらず不明であり、特許文献３では、扇風機本体に設けた軸４０を三脚上方支持部６０と三脚下方支持部８０とを大弾性体７１と小弾性体７５と上、下圧縮ばね７９とがある連結部材７０を備え、連結部材７０を２つ折りしてコンパクト化するものであるが、移動の時は三脚上方支持部６０を接続座５０から取り外すものであり、移動や収納の場合に、三脚を簡単に窄めてコンパクトに固定でき、使用する時は、簡単に且つ安定して開脚できる工業用三脚は無かった。
【課題を解決するための手段】
【０００５】
本考案は前記課題に鑑み、鋭意研鑽の結果、これらの課題を解決するもので、工業用扇風機や移動用大型照明器具の支持軸を摺動自在に貫通させる中心貫通穴を設けた基台と、基台の外周に固定した受け部材と、受け部材に接続した脚部材とを備えた工業用三脚であって、受け部材は、開口面と、両側の側面と、垂直面と、天板面と、傾斜面と、から成り、脚部材は、基軸と、載置部と、頂面と両傾斜面を形成した台形状の頭部と、から成り、受け部材の垂直面は開口面を下方にして基台の外周に固定され、受け部材の両側の側面と脚部材の頭部とに枢動用貫通孔を穿設し、受け部材と脚部材との枢動用貫通孔に枢動用ボルトを挿通して枢動用ナットで脚部材を枢動可能に固定すると共に、受け部材と脚部材とを開位置及び閉位置で固定する固定手段を設け、脚部材が開位置では傾斜面の内面と基軸の先端辺の外側面とが当接すると共に垂直面の内面と頭部の両傾斜面の一方面とが当接し、脚部材が閉位置では傾斜面の内面と頭部の両傾斜面の他方面とが当接すると共に基軸の先端辺の内側面とが垂直面の内面と当接するものである。
【考案の効果】
【０００６】
本考案の工業用三脚は、夫々の受け部材は、基台の三方の外周に等間隔で固定され、受け部材の両側の側面と脚部材の頭部とに枢動用貫通孔を穿設し、受け部材と脚部材との夫々枢動用貫通孔に枢動用ボルトを挿通して枢動用ナットで脚部材を枢動可能に固定すると共に、受け部材と脚部材とを開位置及び閉位置で固定する固定手段を設け、脚部材が開位置では傾斜面の内面と基軸の先端辺の外側面とが当接すると共に垂直面の内面と頭部の両傾斜面の一方面とが当接し、脚部材が閉位置では傾斜面の内面と頭部の両傾斜面の他方面とが当接すると共に基軸の先端辺の内側面とが垂直面の内面と当接することにより、開位置では安定して上方の重量のある機器を支え、閉位置には簡単な操作で窄めることができ、コンパクトに移動、収納できるもので、画期的で実用性の高い有効な考案である。
【考案を実施するための最良の形態】
【０００７】
以下、本考案の工業用三脚の実施の形態を図面によって具体的に説明すると、図１は本考案の工業用三脚の実施例の閉位置の正面図であり、図２は本考案の工業用三脚の実施例の開位置の正面図であり、図３は本考案の工業用三脚の実施例の閉位置での要部説明図であり、図４は本考案の工業用三脚の実施例の開位置での要部説明図であり、図５は本考案の工業用三脚の実施例の受け部材の側面図であり、図６は本考案の工業用三脚の実施例の脚部材の側面図である。
【０００８】
本考案は、工業用三脚に関するものであり、更に詳細には、工場や農業畜産現場で用いられる工業用の大型扇風機や、夜間の工事現場で用いられる移動用大型照明器具の支持台に用いる工業用三脚に関するものであり、工業用扇風機等に下方に垂設させた支持軸（図示しない）と、該支持軸を摺動自在に貫通させる中心貫通穴１ａを上下方向に設けた基台１と、該基台１の外周の三方向に放射状に固定した夫々の受け部材２と、該夫々の受け部材２に接続した夫々の脚部材３とを備えた工業用三脚であって、前記夫々の受け部材２は、下方の開口面２ａと、両側の側面２ｂと、垂直面２ｃと、天板面２ｄと、傾斜面２ｅと、から成り、前記夫々の脚部材３は、四角柱状の長さを有する基軸３ａと、床面に載置する載置部３ｂと、前記受け部材２に挿通させる頂面３ｃと両傾斜面３ｄを形成した台形状の頭部と、から成り、前記受け部材２の前記垂直面２ｃは前記開口面２ａを下方にして前記基台１の三方の外周に等間隔で夫々固定され、前記夫々の受け部材２の両側の側面２ｂと前記脚部材３の頭部とに夫々枢動用貫通孔４ａを穿設し、前記受け部材２と前記脚部材３との前記夫々枢動用貫通孔４ａに枢動用ボルト４ｂを挿通して枢動用ナット４ｃで前記脚部材３を枢動可能に固定すると共に、前記受け部材２と前記脚部材３とを開位置及び閉位置で固定する固定手段５を設け、前記脚部材３が開位置では前記傾斜面２ｅの内面と前記基軸３ａの先端辺の外側面２ｂとが当接すると共に前記垂直面２ｃの内面と前記頭部の両傾斜面３ｄの一方面とが当接し、前記脚部材３が閉位置では前記傾斜面２ｅの内面と前記頭部の両傾斜面３ｄの他方面とが当接すると共に前記基軸３ａの先端辺の内側面２ｂとが前記垂直面２ｃの内面と当接することを特徴とするものである。
【実施例】
【０００９】
即ち、本考案の工業用三脚は、主として工場や農業畜産現場で用いられる工業用扇風機や、夜間の工事現場で用いられる移動用大型照明器具の支持台として用いられるもので、工業用扇風機や、移動用大型照明器具の下方には円柱状の支持軸を垂設させているものである。
【００１０】
そして、基台１は、工業用扇風機の下方に垂設させた支持軸を摺動自在に貫通させる中心貫通穴１ａを上下方向に設けると共に、側方から水平方向に貫通螺孔を螺設して、該貫通螺孔にハンドル付きのボールネジを螺合させており、ボールネジの先端で支持軸の側方を押圧することにより、該支持軸を任意の高さで固定しているものである。
【００１１】
次に、工業用三脚は、前記基台１の外周の三方向に放射状に夫々の受け部材２を固定すると共に、夫々の脚部材３は、先端辺を夫々の受け部材２に挿通して接続させたものである。
【００１２】
次いで、３つの夫々の受け部材２は、下方に開口させた長方形の開口面２ａと、開口面２ａの長手側を構成する両側の側面２ｂと、両側の側面２ｂの間と開口面２ａの短手側とを構成する垂直面２ｃと、開口面２ａと平行で上方を接続する天板面２ｄと、天板面２ｄの一辺から開口面２ａのもう一つの短手側を構成する傾斜面２ｅと、から成るものである。
【００１３】
更に、３つの夫々の脚部材３は、中空の四角柱状の長さを有する基軸３ａと、該基軸３ａの下方の床面に載置するための載置部３ｂと、基軸３ａの上方の受け部材２に挿通させる頭部とから成り、頭部は平坦な頂面３ｃと、頂面３ｃから両側に傾斜させた両傾斜面３ｄを形成した台形状のものである。
【００１４】
そして、基台１の三方の外周に等間隔で受け部材２の垂直面２ｃを開口面２ａを下方にして溶着、溶接等の手段によって夫々固定するものである。
【００１５】
次に、夫々の枢動用貫通孔４ａは、夫々の受け部材２の両側の側面２ｂの略中心より上方辺と、脚部材３の頭部辺とにを夫々穿設しているもので、夫々の枢動用貫通孔４ａには枢動用ボルト４ｂを挿通させて、該枢動用ボルト４ｂにスプリングワッシャを介装させて枢動用ナット４ｃを螺着することにより受け部材２と脚部材３とを枢動可能とするものである。
【００１６】
次いで、受け部材２と脚部材３とを開位置及び閉位置で固定する固定手段５を設けるものであるが、固定手段５は各種考慮され、実施例では、受け部材２の少なくとも片側の側面２ｂの枢動用貫通孔４ａを中心とする円弧上に円弧状長穴５ａを穿設するもので、該円弧状長穴５ａに沿って摺動且つ固定可能な蝶ネジ５ｂを螺合したネジ棒５ｃを脚部材３の上方辺に立設させるもので、蝶ネジ５ｂは緩みを防止するためにスプリングワッシャを介装するものである。
【００１７】
更には、脚部材３が受け部材２に対して、開位置にある時は、受け部材２の傾斜面２ｅの内面と脚部材３の基軸３ａの先端辺の外側面２ｂとが当接すると共に、受け部材２の垂直面２ｃの内面と脚部材３の頭部の両傾斜面３ｄの一方面とが当接するものである。
【００１８】
更に、脚部材３が受け部材２に対して、閉位置にある時は、受け部材２の傾斜面２ｅの内面と脚部材３の頭部の両傾斜面３ｄの他方面とが当接すると共に、脚部材３の基軸３ａの先端辺の内側面と受け部材２の垂直面２ｃの内面と当接するものである。
【００１９】
つまり、本考案の工業用三脚の使用位置、即ち、開位置では、基台１に設けた中心貫通穴１ａに工業用扇風機の下方に垂設させた支持軸を貫通させ、基台１の側方から水平方向に螺設した貫通螺孔にハンドル付きのボールネジを螺合させ先端で支持軸の側方を押圧することにより固定しており、更に、受け部材２の傾斜面２ｅの内面と脚部材３の基軸３ａの先端辺の外側面とが当接すると共に受け部材２の垂直面２ｃの内面と脚部材３の頭部の両傾斜面３ｄの一方面とが夫々面接触して当接しているため大きな負荷でも安定しているものである。
【００２０】
また、運搬、及び、収納位置、即ち、閉位置では、受け部材２の垂直面２ｃの内面と脚部材３の基軸３ａの先端辺の内側面とが当接すると共に受け部材２の傾斜面２ｅの内面と脚部材３の頭部の両傾斜面３ｄの他方面とが夫々面接触して当接し、固定手段５を設けているため、３本の脚部材３を窄めて平行状態で固定できるため移動も容易なものである。
【産業上の利用可能性】
【００２１】
本考案の夫々の受け部材は、基台の三方の外周に等間隔で固定され、受け部材の両側の側面と脚部材の頭部とに枢動用貫通孔を穿設し、受け部材と脚部材との夫々枢動用貫通孔に枢動用ボルトを挿通してナットで脚部材を枢動可能に固定すると共に、受け部材と脚部材とを開位置及び閉位置で固定する固定手段を設け、脚部材が開位置では傾斜面の内面と基軸の先端辺の外側面とが当接すると共に垂直面の内面と頭部の両傾斜面の一方面とが当接し、脚部材が閉位置では傾斜面の内面と頭部の両傾斜面の他方面とが当接すると共に基軸の先端辺の内側面とが垂直面の内面と当接することにより、開位置では安定して上方の重量のある機器を支え、閉位置には簡単な操作で窄めることができ、コンパクトに移動、収納できる工業用三脚の提供である。
【図面の簡単な説明】
【００２２】
【図１】図１は本考案の工業用三脚の実施例の閉位置の正面図である。
【図２】図２は本考案の工業用三脚の実施例の開位置の正面図である。
【図３】図３は本考案の工業用三脚の実施例の閉位置での要部説明図である。
【図４】図４は本考案の工業用三脚の実施例の開位置での要部説明図である。
【図５】図５は本考案の工業用三脚の実施例の受け部材の側面図である。
【図６】図６は本考案の工業用三脚の実施例の脚部材の側面図である。
【符号の説明】
【００２３】
１      基台
１ａ    中心貫通穴
２      受け部材
２ａ    開口面
２ｂ    側面
２ｃ    垂直面
２ｄ    天板面
２ｅ    傾斜面
３      脚部材
３ａ    基軸
３ｂ    載置部
３ｃ    頂面
３ｄ    両傾斜面
４ａ    枢動用貫通孔
４ｂ    枢動用ボルト
４ｃ    枢動用ナット
５      固定手段
５ａ    円弧状長穴
５ｂ    蝶ネジ
５ｃ    ネジ棒
【図１】
0003168305.tif 000003
【図２】
0003168305.tif 000004
【図３】
0003168305.tif 000005
【図４】
0003168305.tif 000006
【図５】
0003168305.tif 000007
【図６】
0003168305.tif 000008